(57)【要約】【課題】本発明は、着用者の動作に対する追従性の向上を図った補正下着を提供することを目的とする。【解決手段】補正下着１は、前身頃３と、該前身頃に連続された後身頃４と、を備えて筒状に構成されて、着用者の体形を補正するためのものである。補正下着１は、前身頃が、その上部に設けられた、乳房の変位を抑制する乳房押さえ部３０と、該乳房押さえ部から下方側に連続される身頃本体３１と、を備え、乳房押さえ部が、一方の乳房から他方の乳房まで一体に連続形成されている。【選択図】図１
2016056474.tif 000002
【特許請求の範囲】
【請求項１】
前身頃と、該前身頃に連続された後身頃と、を備えて筒状に構成されて、着用者の体形を補正するための補正下着であって、
前記前身頃が、その上部に設けられた、乳房の変位を抑制する乳房押さえ部と、該乳房押さえ部から下方側に連続される身頃本体と、を備え、
前記乳房押さえ部が、一方の乳房から他方の乳房まで一体に連続形成されていることを特徴とする補正下着。
【請求項２】
前記乳房押さえ部は、ウレタン発泡体からなり、各乳房を覆う凹みを有して構成されていることを特徴とする請求項１記載の補正下着。
【請求項３】
前記後身頃は、その上端部が、前記乳房押さえ部の上端部よりも下方側に設けられていることを特徴とする請求項１又は請求項２記載の補正下着。
【請求項４】
さらに、乳房を下側から支持する支持部を備えていることを特徴とする請求項１乃至請求項３のうち何れか一項記載の補正下着。
【請求項５】
前記各乳房押さえ部を補強する補強台部を備え、
前記補強台部が、所定の厚みを有するシートから構成されているとともに、前記身頃本体の着用者側の内面に重ねられた状態で、前記乳房押さえ部の下縁及び該下縁の両端に連続された側縁に固定されていることを特徴とする請求項１乃至請求項４のうち何れか一項記載の補正下着。
【発明の詳細な説明】
【技術分野】
【０００１】
本発明は、着用者の体形を補正するための補正下着に関する。
【背景技術】
【０００２】
従来、キャミソールやタンクトップの内側に、乳房を覆う一対のカップ部を有する衣類が開示されている。このような一対のカップ部を有する衣類は、一対のカップ部と、一対のカップ部を支持する筒状の身頃部と、を有して構成されている。
【０００３】
一方、一対のカップ部を有する衣類と同様の構成で、体形を補正する補正機能を有する衣類が、特許文献１に開示されている。特許文献１に開示された衣類にあっては、身頃部に補正機能を持たせるために、身頃部を、着用者の胴体を締め付けるような伸縮し難い生地から構成する必要がある。
【先行技術文献】
【特許文献】
【０００４】
【特許文献１】特開２０１３−１６７０３９号公報
【発明の概要】
【発明が解決しようとする課題】
【０００５】
しかしながら、従来の補正機能を有する衣類は、身頃部が伸縮し難い生地から構成されているため、着用者が、手を上げたり伸び上がったりした場合に、各カップ部が各乳房の変位に追従されずに、位置ずれを起こし易い。
【０００６】
本発明は、着用者の動作に対する追従性の向上を図った補正下着を提供することを目的とする。
【課題を解決するための手段】
【０００７】
請求項１に記載の本発明は、前身頃と、該前身頃に連続された後身頃と、を備えて筒状に構成されて、着用者の体形を補正するための補正下着であって、
前記前身頃が、その上部に設けられた、乳房の変位を抑制する乳房押さえ部と、該乳房押さえ部から下方側に連続される身頃本体と、を備え、
前記乳房押さえ部が、一方の乳房から他方の乳房まで一体に連続形成されていることを特徴とする補正下着である。
【０００８】
請求項２に記載の発本明は、請求項１記載の本発明において、前記乳房押さえ部は、ウレタン発泡体からなり、各乳房を覆う凹みを有して構成されていることを特徴とする。
【０００９】
請求項３に記載の本発明は、請求項１又は請求項２記載の本発明において、前記後身頃は、その上端部が、前記乳房押さえ部の上端部よりも下方側に設けられていることを特徴とする。
【００１０】
請求項４に記載の本発明は、請求項１乃至請求項３のうち何れか一項記載の本発明において、さらに、乳房を下側から支持する支持部を備えていることを特徴とする。
【００１１】
請求項５に記載の本発明は、請求項１乃至請求項４のうち何れか一項記載の本発明において、前記各乳房押さえ部を補強する補強台部を備え、
前記補強台部が、所定の厚みを有するシートから構成されているとともに、前記身頃本体の着用者側の内面に重ねられた状態で、前記乳房押さえ部の下縁及び該下縁の両端に連続された側縁に固定されていることを特徴とする。
【発明の効果】
【００１２】
請求項１に記載の本発明によれば、前身頃が、その上部に設けられた、乳房の変位を抑制する乳房押さえ部と、該乳房押さえ部から下方側に連続される身頃本体と、を備え、乳房押さえ部が、一方の乳房から他方の乳房まで一体に連続形成されている。このような１つの乳房押さえ部を有しているので、身頃部が伸縮し難い生地から構成された補正下着にあって、例えば着用者が、手を上下に動かしたり、伸び上がったりした場合においても、乳房押さえ部が、着用者の乳房の変位に追従して変位することとなり、着用者の動作に対する追従性の向上を図ることができる。
【００１３】
請求項２に記載の本発明によれば、乳房押さえ部は、ウレタン発泡体から、各乳房を覆う凹みを有して構成されている。これにより、乳房押さえ部が各乳房にフィットされることとなり、着用者の動作に対する追従性を確保しつつ、着用感の向上を図ることができる。
【００１４】
請求項３に記載の本発明によれば、後身頃は、その上端部が、乳房押さえ部の上端部よりも下方側に設けられている。即ち、請求項３に記載の本発明の補正下着は、着用者の背中を露出させたとしても、前身頃と後身頃とで構成された筒状の身頃により、乳房押さえ部が安定して支持されることとなる。よって、乳房の変位を十分に抑制しつつ、着用者の背中を露出させる構成を実現できる。これにより、補正下着を覆うように着用されるアウターウェアが、着用者の背中を露出させる構成のものであったとしても、デザイン性を損なうことがない。
【００１５】
請求項４に記載の本発明によれば、乳房を下側から支持する支持部を備えている。このような支持部により、乳房を下側から押し上げられることとなり、豊かな胸元を演出することができる。さらに、支持部が、乳房押さえ部の着用者から離れた外面に重ねられた状態で固定され、この支持部が、デザイン性を有する素材から構成された場合には、補正下着を覆うように着用されるアウターウェアに影響されることなく、装飾性、ファッション性の向上を図ることができる。
【００１６】
請求項５に記載の本発明によれば、各乳房押さえ部を補強する補強台部が、所定の厚みを有するシートから構成されているとともに、身頃本体の着用者側の内面に重ねられた状態で、乳房押さえ部の下縁及び該下縁の両端に連続された側縁に固定されている。このような補強台部が形成されていることにより、乳房押さえ部が、より一層、各乳房にフィットされることとなり、着用者の動作に対する追従性を十分に確保しつつ、より一層、着用感の向上を図ることができる。
【図面の簡単な説明】
【００１７】
【図１】本発明の一実施の形態にかかる補正下着を正面側から見た平面図である。
【図２】図１に示された補正下着を背面側から見た平面図である。
【図３】図１に示された補正下着を側方側から見た斜視図である。
【発明を実施するための形態】
【００１８】
以下、本発明の例示的一態様である実施形態にかかる補正下着としてのビスチェを図１〜図３を参照して説明する。図１は、本発明の一実施の形態にかかるビスチェ１（補正下着）を正面側から見た平面図であり、図２は、図１に示されたビスチェ１を背面側から見た平面図であり、図３は、図１に示されたビスチェ１を側方側から見た斜視図である。
【００１９】
ビスチェ１は、筒状の身頃部２から構成されている。身頃部２は、胴体の正面側を覆う前身頃３と、胴体の背面側を覆う後身頃４とを備えて筒状に形成されている。本実施形態のビスチェ１は、フラダンスを踊る際に着用されるものであり、フラダンス衣装のインナーウエアとして用いられるものである。
【００２０】
前身頃３は、図１に示すように、その上部に設けられた、乳房の変位を抑制する乳房押さえ部３０と、乳房押さえ部３０の下方側に連続される身頃本体３１と、を備えて構成されている。
【００２１】
ここで、図１〜図３に示す矢印Ｙ、Ｘ、Ｚ方向は、互いに直交する方向であり、矢印Ｙは、ビスチェ１が着用された状態（以下、着用状態と称す）の鉛直方向を示し、矢印Ｘは、ビスチェ１が着用された状態における「一方の乳房」と「他方の乳房」との方向を示し、矢印Ｚは、ビスチェ１が着用された状態における前身頃３の中心（前中心）と後身頃４の中心（後中心）とが対向する方向を示している。また、本明細書では、矢印Ｙ方向を上下方向と記し、矢印Ｘ方向を左右方向と記し、矢印Ｚ方向を前後方向と記す場合がある。
【００２２】
この乳房押さえ部３０は、後方側から見て、各乳房を覆う左右の凹み３２を有して構成されている。即ち、各凹み３２は、前方側から見て、乳房押さえ部３０の周縁（上縁３ａ、下縁３ｂ、左右の側縁３ｃ、３ｃ）よりも前方側に突出して設けられている。各凹み３２は、乳房押さえ部３０の左右の中心、即ち、着用者の前中心を挟む位置に設けられている。また、これら左右の凹み３２の間、及び、各凹み３２から乳房押さえ部３０の周縁（上縁３ａ、下縁３ｂ、左右の側縁３ｃ、３ｃ）までの間は、滑らか曲面を有して連続されている。つまり、乳房押さえ部３０は、着用状態において、一方の乳房から他方の乳房まで一体に形成されているとともに、滑らかな曲面を有して連続形成されている。
【００２３】
乳房押さえ部３０は、ウレタン発泡体からなり、一定の厚さを有するシート状に構成されている。乳房押さえ部３０は、前中心を軸とした線対称の平面視ピーナツ形状になるように形成されている。乳房押さえ部３０は、その周縁が、上縁３ａと、下縁３ｂと、上下縁３ａ、３ｂの両端に連続された両側縁３ｃ、３ｃと、を有して構成されている。乳房押さえ部３０の周縁（上縁３ａ、下縁３ｂ、左右の側縁３ｃ、３ｃ）は、その上縁３ａが下縁３ｂよりも長くなるように形成されている。
【００２４】
乳房押さえ部３０は、着用状態において、その上縁３ａは、その両端と前中心とが低い位置になり、両端と前中心との間の中央部が高い位置となるような山型になるように形成されている。この上縁３ａにおける両端は、前中心よりも高い位置になるように設けられ、さらに、この上縁３ａの前中心は、バストトップよりも高い位置、即ち腕の付け根と略同じ高さ位置になるように形成されている。下縁３ｂは、略左右方向に沿って設けられている。両側縁３ｃ、３ｃは、上縁３ａの両端から、下方に向かうに従って中心に向かうように斜めに設けられている。また、両側縁３ｃ、３ｃと下縁３ｂとの境界は、滑らかな曲線により連続形成されている。
【００２５】
このような乳房押さえ部３０を有しているので、例えば着用者が、フラダンスを踊る際に、手を上下に動かしたり、伸び上がったりした場合においても、乳房押さえ部３０が、着用者の乳房の変位に追従して変位することとなる。また、乳房押さえ部３０に凹み３２が形成されていることにより、各凹み３２が各乳房にフィットされることとなり、着用者の動作に対する追従性を確保しつつ、着用感の向上を図ることができる。
【００２６】
身頃本体３１は、図１に示すように、乳房押さえ部３０を保持する保持体３４と、保持体３４の左右の両側に連続されるとともに、保持体３４よりも伸縮性を有する生地から構成された伸縮部３５、３５と、を備えている。身頃本体３１は、着用者の前中心を覆う台形状に形成されている。この身頃本体３１は、着用状態において、保持体３４と伸縮部３５、３５との境界位置が、腕の付け根よりも僅かに前中心側に位置するように構成されている。伸縮部３５、３５は、縦横のうち横地が縦地よりも大きな伸縮性を有するメッシュ素材から構成されていて、身頃部２の周方向の伸縮が、当該周方向に直交する上下方向の伸縮よりも大きくなるように形成されている。
【００２７】
保持体３４は、吸湿速乾性に優れた素材から構成されている。この保持体３４は、各伸縮部３５よりも伸縮し難い素材から構成されていることとなり、着用者の腹部が、滑らかに連続されるように体型を補正している。この保持体３４にあっては、上方側から切り欠かれた部分に、乳房押さえ部３０の下縁３ｂ及び両側縁３ｃ、３ｃが連続形成されている。換言すると、切り欠かれた部分の周縁（下縁３ｂ及び両側縁３ｃ、３ｃが示す位置）は、乳房押さえ部３０と保持体３４との境界を構成している。以下では、乳房押さえ部３０と保持体３４との境界（下縁３ｂ及び両側縁３ｃ、３ｃが示す位置）を境界部３６と称す。この境界部３６は、保持体３４の左右の両側縁３４ｃよりも前中心側に形成されている。
【００２８】
この身頃本体３１は、着用状態において、保持体３４が、着用者の臍部を覆うように設けられ、その下縁３４ｂは、保持体３４の前中心から伸縮部３５、３５に向かうに従って徐々に高さが高くなるように形成されている。また、保持体３４の下縁３４ｂには、伸縮部３５、３５の下縁３５ｂが連続形成され、この伸縮部３５、３５の下縁３５ｂは、前中心から離れる方向に進むに従って徐々に高さが高くなるように形成されている。
【００２９】
また、前身頃３は、図１に示すように、左右の乳房を下側から支持する支持部３７、３７を備えている。支持部３７、３７は、乳房押さえ部３０の着用者から離れた外面に重ねられた状態で固定されている。各支持部３７は、縦横のうち横地が縦地よりも大きな伸縮性を有するメッシュ素材から構成されている。本実施形態において、各支持部３７は、縦横のうち横地が縦地よりも大きな伸縮性を有するメッシュ素材が２つ折りにされて構成されたものであり、乳房押さえ部３０の凹み３２の底部（前方側から見た突出形状の頂部）よりも下方側、及び、左右の凹み３２よりも伸縮部３５、３５側を覆うように設けられていて、２つ折りにされたメッシュ素材の折り山の上端が、乳房押さえ部３０の上縁３ａにおいて、乳房押さえ部３０と保持体３４との境界よりも僅かに前中心側に位置するように縫い付けられ、その下端が、乳房押さえ部３０の下縁３ｂにおいて、前中心近傍において左右の支持部３７、３７同士が前後に重なるように縫い付けられている。こうして、支持部３７、３７は、着用者の前中心部分では、その一部が４重に重ねられている。つまり、支持部３７、３７の折り山は、腕の付け根から前中心に向かうに従って下方に向けて傾斜するように設けられ、前方側から見た突出形状の頂部を通過するように設けられている。また、この折り山の延在方向（傾斜方向）の伸縮が、当該傾斜方向に直交する方向の伸縮よりも大きくなるように形成されている。
【００３０】
このような支持部３７、３７が設けられていることにより、乳房を下側から押し上げられることとなり、豊かな胸元を演出することができる。さらに、支持部３７、３７が、乳房押さえ部３０の着用者から離れた外面に重ねられた状態で固定され、この支持部３７、３７が、デザイン性を有する素材（メッシュ素材）から構成された場合には、ビスチェ１を覆うように着用されるアウターウェアに影響されることなく、装飾性、ファッション性の向上を図ることができる。
【００３１】
なお、本実施形態において支持部３７、３７は、メッシュ素材から構成されているが、本発明はこれに限定されるものではない。支持部３７、３７は、レース素材から構成されていてもよく、サテン等の光沢のある素材から構成されていてもよく、或いは、保形性を有する素材（不織布）から構成されていてもよい。また、本実施形態において、支持部は、乳房押さえ部３０の着用者から離れた外面に重ねられた状態で固定されているが、本発明はこれに限定されるものではなく、乳房押さえ部３０の着用者側の内面に重ねられた状態で固定されていてもよく、或いは、乳房押さえ部３０において乳房を支持する下側部分の、内面又は外面に接着固定されていてもよい。即ち支持部は、左右の乳房を下側から支持するように構成されていれば、如何なる素材から構成されていてもよく、如何なる形状であってもよい。
【００３２】
さらに、前身頃３は、図２に示すように、各乳房押さえ部３０を補強する補強台部３８を備えている。この補強台部３８は、所定の厚みを有する不織布（シート）から構成されている。また、補強台部３８は、身頃本体３１の着用者側の内面に重ねられた状態で、乳房押さえ部３０の下縁３ｂ及び両側縁３ｃの全長に固定されている。
【００３３】
このような補強台部３８が形成され、この補強台部３８が、着用状態で、バージスライン（乳房下の輪郭線）に沿うように設けられていることにより、乳房押さえ部３０が、より一層、各乳房にフィットされることとなり、着用者の動作に対する追従性を十分に確保しつつ、より一層、着用感の向上を図ることができる。
【００３４】
後身頃４は、各伸縮部３５と略同一の伸縮性を有する生地から構成されている。後身頃４の上縁４ａは、図２に示すように、伸縮部３５、３５の上縁３５ａに連続されているとともに、背中心に向かうに従って徐々に高さが低くなるように形成されている。
【００３５】
このような身頃部２は、その上方側の周縁が、乳房押さえ部３０の上縁３ａ、保持体３４の境界部３６よりも前中心から離れた側に位置する上縁３４ａ、伸縮部３５、３５の上縁３５ａ、及び、後身頃４の上縁４ａを備えて構成されて、これらの上縁３ａ、３４ａ、３５ａ、４ａが滑らかな曲線になるように連続形成されている。
【００３６】
後身頃４は、その上縁４ａ（上端部）が、乳房押さえ部３０の上縁３ａ（上端部）よりも、何れの位置においても下方側に設けられている従って、ビスチェ１は、着用者の背中を露出させたとしても、前身頃３と後身頃４とで構成された筒状の身頃により、乳房押さえ部３０が安定して支持されることとなる。
【００３７】
また、後身頃４には、図３に示すように、着用者がビスチェ１を着用し易くするための補助部４１が設けられている。この補助部４１は、上下にスライド可能に設けられたスライダー４２を有するファスナー４３と、着用者の皮膚がファスナー４３に巻き込まれるのを防止するように、ファスナー４３により開閉される部分を跨いで設けられる跨ぎ部４４と、を備えている。このファスナー４３は、スライダー４２が下端部に位置した状態で、ファスナー４３の上端部を開口させて身頃部２の周方向の寸法を大きくするように構成されている。跨ぎ部４４は、ファスナー４３よりも着用者側に設けられている。跨ぎ部４４とファスナー４３との間には、ファスナー４３の上端部において、スライダー４２により開口された部分を接近させた状態で係止するフック（図示しない）が設けられている。
【００３８】
このような補助部４１が設けられていることにより、ビスチェ１を着用する際に、ビスチェ１の乳房押さえ部３０が身頃本体３１よりも上方側に位置する格好で、スライダー４２をファスナー４３の下端部にスライドさせ、ファスナー４３の上端部を開口し、乳房押さえ部３０側からその筒形の身頃部２の内部に両足を入れ、ビスチェ１を持ち上げて、乳房押さえ部３０の凹み３２が乳房を覆う位置に位置付ける。この後、フックにより、開口された部分を接近させた状態で係止して、スライダー４２をファスナー４３の上端部に向けてスライドさせる。こうして、ビスチェ１を着用する。このような補助部４１が設けられていることにより、ビスチェ１を頭から被って着用するのではなく、足側から引き揚げて着用することができる。
【００３９】
また、身頃部２には、伸縮部３５、３５や後身頃４を補強する補強布５が設けられている。補強布５は、図１、図２の網掛け部分のことである。この補強布５は、伸縮部３５、３５においては、上端部から下方に延在して設けられ、後身頃４においては、背中心を覆う位置及び、その上下の中間位置にて、所定幅を有して伸縮部３５、３５に連続形成される帯状に設けられている。このような補強布５が設けられていることにより、着用者の美しい姿勢をサポートしつつ、フラダンス時の動きをサポートしている。
【００４０】
さらに、身頃部２には、図１、図２に示すように、ビスチェ１の所定形状を維持するためのワイヤーボーン６１、６２、６３が設けられている。各ワイヤーボーン６１、６２、６３は、２本ずつ前中心または、後中心を軸とした線対称となるように設けられている。ワイヤーボーン６１は、図１に示すように、前中心を軸とした線対称になるように設けられているとともに、前身頃３の前中心と保持体３４の左右の側縁３４ｃと間の左右の中心において、保持体３４の上縁３ｂから下縁３４ｂまで連続形成されている。ワイヤーボーン６１は、その下端部から上端部に向かうに従って、左右に離れる方向に傾斜して設けられている。ワイヤーボーン６２は、伸縮部３５、３５と後身頃４との境界においてその上縁から下縁まで連続形成されている。ワイヤーボーン６３は、図２に示すように、後中心を軸とした線対称になるように設けられているとともに、その下端部から上端部に向かうに従って、後身頃４の後中心から左右に離れる方向に傾斜して設けられている。このようなワイヤーボーン６１、６２、６３が設けられていることにより、ビスチェ１のずり下がり（位置ずれ）を防止しつつ、ビスチェ１の所定形状を維持している。
【００４１】
なお、本発明の実施形態は、フラダンスを踊る際に着用されるものであり、フラダンス衣装のインナーウエアとして用いられるビスチェ１の一例を説明したが、本発明はこれに限定されるものではない。例えば、着用者が手を上下に動かしたり、伸び上がったりした場合においても、乳房押さえ部３０が、着用者の乳房の変位に追従して変位することとなり、よって、着用者の動作に対する追従性の向上を図ったものであればよく、例えば、社交ダンスの衣装やウエディングドレスのインナーウエアとして用いてもよく、日常、家庭の中などで着用する衣服のインナーウエアとして用いてもよい。
【００４２】
また、本実施形態では、ビスチェ１の一例を説明したが、本発明の補正下着は、これに限定されるものではなく、例えば、ボディスーツにも適用することもできる。
【００４３】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の補正下着の構成を具備する限り、勿論、本発明の範疇に含まれるものである。
【符号の説明】
【００４４】
１        ビスチェ（補正下着）
３        前身頃
３ａ      上縁（前身頃の上端部）
４        後身頃
４ａ      上縁（後身頃の上端部）
３０      乳房押さえ部
３１      身頃本体
３２      凹み
３７      支持部
３８      補強台部
【図１】
2016056474.tif 000003
【図２】
2016056474.tif 000004
【図３】
2016056474.tif 000005